(57)【要約】【課題】頭髪を十分にキャッチすることができ、使い勝手の良いヘアスタイラーを提供すること。【解決手段】この考案のヘアスタイラーは、ハンドル部１の先端に櫛部２を設けてなり、櫛部２は多数本の棒状の櫛歯３で構成されており、かつ、櫛部２は外側の櫛歯３よりも内側の櫛歯３を長くすることにより先細り状にしたものとしている。櫛部２は、先端が略円錐形となったものとすることができる。櫛歯３は、表面に頭髪を引っ掛けるための突起４を設けたものとすることができる。【選択図】  図１
0003128959.tif 000002
【実用新案登録請求の範囲】
【請求項１】
ハンドル部（１）の先端に櫛部（２）を設けてなり、櫛部（２）は多数本の棒状の櫛歯（３）で構成されており、かつ、櫛部（２）は外側の櫛歯（３）よりも内側の櫛歯（３）を長くすることにより先細り状になっていることを特徴とするヘアスタイラー。
【請求項２】
櫛部（２）の先端が略円錐形となっている請求項１記載のヘアスタイラー。
【請求項３】
櫛部（２）が、中央の第１部分（Ａ）、その周囲の第２部分（Ｂ）、その周囲の第３部分（Ｃ）を有しており、第１部分（Ａ）より第２部分（Ｂ）、第２部分（Ｂ）より第３部分（Ｃ）の櫛歯（３）の本数が多くなっている請求項１又は２記載のヘアスタイラー。
【請求項４】
櫛歯（３）の表面に頭髪を引っ掛けるための突起（４）を設けている請求項１、２又は３記載のヘアスタイラー。
【請求項５】
櫛歯（３）が、ハンドル部（１）の先端の取付台（５）に設けられたものとし、取付台（５）はハンドル部（１）の本体部分（６）よりも径が大きな部分を有するものとした請求項１、２、３又は４記載のヘアスタイラー。
【考案の詳細な説明】
【技術分野】
【０００１】
この考案は、頭髪にカールや流れを付けるためのヘアスタイラーに関するものである。
【背景技術】
【０００２】
従来のヘアスタイラー（整髪具）としては、ハンドル部の先端に多数本の棒状の櫛歯を円筒形に配したものがある（特許文献１参照）。この従来のヘアスタイラーは、頭髪にドライヤーで熱風を当てながら、ハンドル部を回転させることにより、頭髪にカールを付けられるようになっているが、前記多数本の櫛歯は、すべて同一の長さであり、先端が同一平面的に揃っているため、通常の使用の仕方では、先端を頭皮付近まで差し込むことができない
そのため、頭髪を根元から十分にキャッチすることができず、ドライヤーで熱風を当てているときに頭髪が櫛歯からはずれたりするなど、使い勝手の良いものではなかった。
【特許文献１】実開昭５２−１２５９７９号公報
【考案の開示】
【考案が解決しようとする課題】
【０００３】
そこで、この考案は、頭髪を十分にキャッチすることができ、使い勝手の良いヘアスタイラーを提供することを課題とする。
【課題を解決するための手段】
【０００４】
この考案のヘアスタイラーは、ハンドル部１の先端に櫛部２を設けてなり、櫛部２は多数本の棒状の櫛歯３で構成されており、かつ、櫛部２は外側の櫛歯３よりも内側の櫛歯３を長くすることにより先細り状にしたものとしている。
【０００５】
櫛部２は、先端が略円錐形となったものとすることができる。
【０００６】
櫛部２は、中央の第１部分Ａ、その周囲の第２部分Ｂ、その周囲の第３部分Ｃを有しており、第１部分Ａより第２部分Ｂ、第２部分Ｂより第３部分Ｃの櫛歯３の本数が多くなっているものとすることができる。
【０００７】
櫛歯３は、表面に頭髪を引っ掛けるための突起４を設けたものとすることができる。
【０００８】
また、櫛歯３は、ハンドル部１の先端の取付台５に設けられたものとし、取付台５はハンドル部１の本体部分６よりも径が大きな部分を有するものとすることができる。
【考案の効果】
【０００９】
この考案のヘアスタイラーは、上述のような構成を有しており、櫛部２が先細り状になっているため、頭皮付近まで差し込んで頭髪を十分にキャッチすることができ、また、キャッチする頭髪の量の調節も容易であるので、使い勝手が良い。特に、櫛部２の先端が、略円錐形となったものであれば、櫛部２を回転させながら頭髪を櫛歯３に確実に巻き付かせていくことができる。
【００１０】
櫛部２の具体的な構成としては、中央の第１部分Ａ、その周囲の第２部分Ｂ、その周囲の第３部分Ｃを有し、第１部分Ａより第２部分Ｂ、第２部分Ｂより第３部分Ｃの櫛歯３の本数が多くなっているものとすることができ、これら多数本の櫛歯４により頭髪をキャッチすることで、ドライヤーで熱風を当てた際、頭髪がゆるく巻かれた状態であっても、頭髪が櫛部２からはずれ落ちにくくなっている。
【００１１】
櫛歯３の表面に頭髪を引っ掛けるための突起４を設けたものとすれば、さらに頭髪が櫛歯３からはずれ落ちにくくすることができる。
【００１２】
また、櫛歯３が、ハンドル部１の先端の取付台５に設けられたものとし、取付台５はハンドル部１の本体部分６よりも径が大きな部分を有するものとすれば、ドライヤーの熱風が手指に当たることを防ぎつつ、熱風が効率よく頭髪に当たるようにすることができる。
【考案を実施するための最良の形態】
【００１３】
以下、この考案の好適な実施形態を、図面を参照して説明する。
【００１４】
図１はこの考案の実施形態のヘアスタイラーの斜視図、図２は縦断面図、図３は上面図、図４は使用状態を示す説明図、図５は櫛部２の先端が頭皮付近まで達することを模式的に示した説明図である。
【００１５】
このヘアスタイラーは、ハンドル部１の先端に櫛部２を設けてなり、櫛部２は多数本の棒状の櫛歯３で構成されており、かつ、櫛部２は外側の櫛歯３よりも内側の櫛歯３を長くすることにより先細り状になったものとしている。
【００１６】
ハンドル部１と櫛部２は、同一の硬質な材料により形成することができる。例えば、ポリカーボネート樹脂、ＡＢＳ樹脂、ＡＳ樹脂等の硬質プラスチック製とするとよいが、これに限らず、金属製等とすることもできる。また、プラスチックに金属粉を混ぜて成形したものとすることにより、ドライヤーで熱せられ易くして熱を効果的に頭髪に伝えるようにしたり、健康によいとされるゲルマニウムやマイナスイオンを発する物質を混ぜて成形したりすることもできる。
【００１７】
図１、図２に示したように、ハンドル部１は、先端側の略椀状の取付台５と、筒状の本体部分６とから構成されている。取付台５は、先端側に、櫛歯３を通す孔が設けられた円盤状の蓋部８を有している。本体部分６は、表面に滑り止めのための複数のリング状部７を有している。取付台５は、ハンドル部１の本体部分６よりも径が大きな部分を有しており、これによって、ドライヤーの熱風が手指に当たることを防ぎつつ、熱風が効率よく頭髪に当たるようになっている。
【００１８】
図３に示したように、櫛部２は、中央の第１部分Ａ、その周囲の第２部分Ｂ、その周囲の第３部分Ｃを有しており、第１部分Ａより第２部分Ｂ、第２部分Ｂより第３部分Ｃの櫛歯３の本数が多くなっている。この実施形態では、第１部分Ａが１本の櫛歯３、第２部分Ｂが４本の櫛歯３、第３部分Ｃが１２本の櫛歯３で構成されている。第２部分Ｂと第３部分Ｃの各櫛歯３は、それぞれ第１部分Ａの櫛歯３を中心とする同心円状に等間隔に配置されている。
【００１９】
櫛歯３は、ハンドル部１の長尺方向に揃えて、前記取付台５の内部に設けられた筒状の取付け部９に下端部が差し込まれるとともに、前記蓋部８の孔に通された状態で固定されている。各櫛歯３は、１本ずつ独立したものでもよいが、棒状部に直角に複数本の櫛歯３の下端部が連設されて「山」字状（縦方向の線の数は適宜）になったものを１組ないし複数組形成し、これを取付け部９に固定するようにしてもよい。また、櫛歯３をハンドル部１と一体に形成してもよい。
【００２０】
櫛歯３は、いずれも同じ太さの棒状で、頂部は丸みを帯びた先細り状としている。また、櫛歯３の横断面形状は、真円を対向する２箇所で切欠したような形状で、この切欠した部分の各面に、等間隔で縦方向に適宜数の突起４を設けている。この突起４は、頭髪を引っ掛け、櫛歯３からはずれ落ちないようにするためのものである。各櫛歯３は、突起４を設けた面がすべて同一方向に揃うように配置されている。
【００２１】
櫛歯３の長さは、第１部分Ａが最も長く、次いで第２部分Ｂが長く、第３部分Ｃが最も短くなっており、これによって櫛部２の先端が略円錐形となっている。すなわち、櫛部２を構成する各櫛歯３の先端に接する面があるとすると、その面が略円錐面を構成するようになっている。この櫛部２の先端は、直角程度の頂角を有するものとするとよい。
【００２２】
このヘアスタイラーは、頭髪にドライヤーで熱風を当てながら、図４に示したように、ハンドル部１を回転させることにより、頭髪にカールや流れを付けることができる。櫛部２は、各部の櫛歯３の長さの違いにより先細り状になっているため、図５に示したように、傾斜した頭皮に対し、このヘアスタイラーを水平ないし斜め方向に向けても、多数の櫛歯３が頭皮付近まで達するので、これらの櫛歯３で多くの頭髪を根元からキャッチすることができる。
【００２３】
これにより、頭髪を根元から立ち上げることができるので、容易に頭髪のボリューム感をアップさせることができるようになる。また、櫛歯３に絡ませる頭髪の量の調整も容易にできる。特に、櫛部２の先端が略円錐形になっていることにより、多数の櫛部２を回転させながら頭髪を櫛歯３に確実に巻き付かせていくことができる。
【００２４】
しかも、頭髪は、面状に多数本配置された櫛歯３に複数箇所で接触した状態で保持されるので、比較的ゆるく巻かれた状態にしてドライヤーで熱風を当てても、頭髪が櫛部２からはずれ落ちにくく、櫛歯を円筒形に配置した従来のヘアスタイラーのように、頭髪をきつく櫛歯に巻き付ける必要はない。そのため、このヘアスタイラーは、いわゆる「ゆる巻き」にする場合に適しおり、しかも、片手でハンドル部１を持ちながらの操作でも、容易にカールの仕上がりを調節することができる。
【００２５】
また、頭髪は、櫛部２の外側（第３部分Ｃの櫛歯３）に何周も重ねて円筒形に巻き付けるのではなく、内側に入り込んで第１部分Ａ及び第２部分Ｂの櫛歯３にキャッチされるようにすることができるので、櫛歯３間の隙間からドライヤーの熱風がよく通り、頭髪を効果的に加熱することができる。
【００２６】
このヘアスタイラーの各部の具体的な寸法としては、櫛部２の直径（第３部分Ｃの櫛歯３が構成する円の直径）を４２ｍｍ程度、ハンドル部１の本体部分６を直径２５ｍｍ程度、長さ１０５ｍｍ程度、取付台５の最大径（蓋部８の直径）を６４ｍｍ程度とするとよい。
【００２７】
櫛歯３（取付台５の上方に突出した部分）については、第１部分Ａの櫛歯３の長さを１２６ｍｍ程度、第２部分Ｂの櫛歯３を１２０ｍｍ程度、第１部分Ａの櫛歯３を１１２ｍｍ程度、先端部を除く径はいずれも５ｍｍ程度とすることができる。櫛歯３の長さは、前記第１〜３部分の３段階としているが、２段階としたり、あるいは４段階以上としてもよい。
【００２８】
以上がこの考案のヘアスタイラーの一実施形態であるが、各部の形状、寸法、材質等は、適宜変更して実施することが可能である。
【図面の簡単な説明】
【００２９】
【図１】この考案の実施形態のヘアスタイラーの斜視図である。
【図２】この考案の実施形態のヘアスタイラーの縦断面図（図３のＡ−Ａ線断面図）である。
【図３】この考案の実施形態のヘアスタイラーの上面図である。
【図４】この考案の実施形態のヘアスタイラーの使用状態を示す説明図である。
【図５】この考案の実施形態のヘアスタイラーの櫛部の先端が頭皮付近まで達することを模式的に示した説明図である。
【符号の説明】
【００３０】
１  ハンドル部
２  櫛部
３  櫛歯
４  突起
５  取付台
６  ハンドル部の本体部分
Ａ  第１部分
Ｂ  第２部分
Ｃ  第３部分
【図１】
0003128959.tif 000003
【図２】
0003128959.tif 000004
【図３】
0003128959.tif 000005
【図４】
0003128959.tif 000006
【図５】
0003128959.tif 000007